(57)【要約】【課題】単純な構成で、空気の除湿と加湿とを選択的に行うことができる調湿装置を提案することである。【解決手段】除湿ロータ（31）は空気中の水を捕捉して空気の除湿を行う。除湿ロータ（31）で捕捉された水は、水タンク（41）内に回収される。水タンク（41）内に回収される水は、水浄化手段（51）によって浄化される。加湿ロータ（43）は、浄化された水を空気中へ付与して空気の加湿を行う。【選択図】図２
2009145022.tif 000002
【特許請求の範囲】
【請求項１】
空気中の水分を捕捉して空気を除湿する除湿手段（31）と、
上記除湿手段（31）で捕捉した水が回収される水容器（41）と、
上記水容器（41）内に回収される水を浄化するための浄化成分を発生する水浄化手段（51,70,80）と、
上記水容器（41）内に回収された水を空気中へ付与して空気を加湿する加湿手段（43）とを備えていることを特徴とする調湿装置。
【請求項２】
請求項１において、
上記水浄化手段は、放電を生起することで上記浄化成分としての活性種を発生する放電部（51）で構成されていることを特徴とする調湿装置。
【請求項３】
請求項１において、
上記水浄化手段は、上記浄化成分としての活性種を発生する光触媒部材（70）で構成されていることを特徴とする調湿装置。
【請求項４】
請求項１において、
上記水浄化手段は、上記浄化成分としての金属イオンを発生する金属部材（80）で構成されていることを特徴とする調湿装置。
【請求項５】
請求項１乃至４のいずれか１つにおいて、
上記水浄化手段（51,70,80）は、水容器（41）内の水へ浄化成分を付与するように構成されていることを特徴とする調湿装置。
【請求項６】
請求項１乃至３のいずれか１つにおいて、
内部を空気が流れるように構成されると共に、流出端が上記水容器（41）内に開口する導入流路（60）を更に備え、
上記水浄化手段（51,70）は、上記導入流路（60）の内部に上記浄化成分を付与するように構成されていることを特徴とする調湿装置。
【請求項７】
請求項１乃至５のいずれか１つにおいて、
上記水浄化手段（51,70,80）は、上記水容器（41）内に配置されていることを特徴とする調湿装置。
【請求項８】
請求項１乃至７のいずれか１つにおいて、
空気を浄化するための空気浄化手段（21,22,23,24,25）を更に備えていることを特徴とする調湿装置。
【発明の詳細な説明】
【技術分野】
【０００１】
本発明は、空気を除湿する除湿手段と空気を加湿する加湿手段とを備え、上記除湿手段で捕捉した水を水容器内に回収し、この水を加湿手段による空気の加湿に利用する調湿装置に関するものである。
【背景技術】
【０００２】
従来より、室内等の空気の湿度を調節するための調湿装置が広く知られている。
【０００３】
特許文献１には、空気を加湿する加湿手段を備えた調湿装置が開示されている。この調湿装置は、加湿水が補給される加湿用タンクと、空気通路に跨るように配置される円板状の加湿ロータ（即ち加湿手段）とを備えている。加湿ロータは、その下部が加湿用タンク内の水中に浸漬されている。特許文献１の調湿装置の運転時には、加湿ロータが連続的に回転する。加湿ロータでは、加湿用タンク中で水分を含んだ部位が上記空気通路まで変位する。この部位を空気が通過することで、加湿ロータ中の水分が空気へ付与される。そして、加湿された空気は、空気通路を流出して室内等へ供給される。
【０００４】
また、特許文献２には、空気を除湿する除湿手段を備えた調湿装置が開示されている。この調湿装置は、吸着剤が担持された円板状の除湿ロータ（即ち除湿手段）と、除湿ロータを加熱して水分を脱離させるヒータと、脱離した水分を回収する除湿用タンクとを備えている。特許文献２の調湿装置の運転時には、空気中の水分が除湿ロータの吸着剤に吸着される。そして、除湿された空気は、空気通路を流出して室内等へ供給される。また、除湿ロータでは、所定部位が上記ヒータに加熱され、この部位の吸着剤から空気へ水分が脱離（脱着）する。水分が放出された空気は、熱交換器によって冷却され、これにより空気中の水分が凝縮する。凝縮後の水分は所定の経路を通じて除湿用タンクに回収される。
【特許文献１】特開２００７−１３９２５１号公報
【特許文献２】特開２０００−４２３４４号公報
【発明の開示】
【発明が解決しようとする課題】
【０００５】
ところで、上述した各特許文献の加湿手段と除湿手段とを一つの装置に搭載することが考えられる。即ち、装置内の空気通路に加湿ロータと除湿ロータとの双方を設けることで、空気の除湿や加湿を選択的に行うことができる。しかしながら、特許文献１や特許文献２を単純に組み合わせた構成では、加湿ロータへ水分を付与するための加湿用のタンクと、除湿ロータで捕捉した水分を回収するための除湿用のタンクとをそれぞれ設ける必要がある。その結果、装置の大型化や複雑化を招くと共に、それぞれのタンクでの水の補給や排水も煩雑となってしまう。
【０００６】
本発明は、かかる点に鑑みてなされたものであり、その目的は、単純な構成で、空気の除湿と加湿とを選択的に行うことができる調湿装置を提案することである。
【課題を解決するための手段】
【０００７】
第１の発明の調湿装置は、空気中の水分を捕捉して空気を除湿する除湿手段（31）と、該除湿手段（31）で捕捉した水が回収される水容器（41）と、該水容器（41）内に回収される水を浄化するための浄化成分を発生する水浄化手段（51,70,80）と、水容器（41）内に回収された水を空気中へ付与して空気を加湿する加湿手段（43）とを備えていることを特徴とするものである。なお、ここでいう「浄化成分」とは、水分中に含まれる有害物質や臭気物質を分解除去する効能や、水分中に生息する菌類等を死滅させる殺菌の効能を有する物質を意味する。
【０００８】
第１の発明の調湿装置には、空気を除湿するための除湿手段（31）と、空気を加湿するための加湿手段（43）とが設けられる。調湿装置の除湿運転時には、空気中の水分が除湿手段（31）に捕捉される。水分が捕捉されて除湿された空気は、例えば室内空間等へ供給される。また、除湿手段（31）で捕捉された水は、水容器（41）に回収される。
【０００９】
ここで、本発明では、除湿手段（31）から水容器（41）に回収された水が、空気の加湿に利用される。即ち、水容器（41）に回収された水は、加湿手段（43）により空気中へ付与される。以上のように加湿された空気は、室内空間等へ供給される。このように本発明では、除湿手段（31）で捕捉した水を回収するための水容器（41）と、加湿手段（43）の加湿水を貯留する水容器（41）とが兼用される。
【００１０】
一方、上記の如く除湿手段（31）で捕捉した水を加湿手段（43）による空気の加湿に利用すると、加湿水の水質の悪化が問題となる。具体的には、例えば室内の空気中の水分が除湿手段（31）に捕捉される際には、空気中に含まれる有害物質や臭気物質（例えばアンモニアやホルムアルデヒド等）や菌類等が水と共に水容器（41）に回収されることがある。従って、このような汚染水が加湿手段（43）によって空気中へ付与されると、室内空間等の清浄度が損なわれてしまうという問題が生じる。
【００１１】
そこで、本発明の調湿装置には、水浄化手段（51,70,80）が設けられる。即ち、水浄化手段（51,70,80）は、所定の浄化成分を発生しており、この浄化成分により水容器（41）へ回収される水が浄化される。具体的に、水容器（41）へ回収される水中では、浄化成分により有害成分等が除去され、あるいは浄化成分により殺菌される。従って、このようにして浄化された水を上記加湿手段（43）による空気の加湿に利用しても、この空気の清浄度が保たれる。
【００１２】
第２の発明は、第１の発明の調湿装置において、上記水浄化手段は、放電を生起することで上記浄化成分としての活性種を発生する放電部（51）で構成されていることを特徴とするものである。なお、ここでいう「放電」とは、ストリーマ放電、沿面放電、コロナ放電等を含む意味である。
【００１３】
第２の発明の調湿装置には、上記水浄化手段としての放電部（51）が設けられる。放電部（51）では、電極の間で所定の放電が行われることで、浄化成分としての活性種（ラジカル、オゾン、高速電子、励起分子等）が生成される。除湿手段（31）で捕捉されて水容器（41）に回収される水は、上記活性種により浄化される。加湿運転では、このように浄化された水容器（41）内の水が加湿手段（43）によって空気中へ付与される。
【００１４】
第３の発明は、第１の発明の調湿装置において、上記水浄化手段が、上記浄化成分としての活性種を発生する光触媒部材（70）で構成されていることを特徴とするものである。
【００１５】
第３の発明では、上記水浄化手段としての光触媒部材（70）が設けられる。光触媒部材（70）では、所定の光環境条件下において上記浄化成分としての活性種（ＯＨラジカルやＨ２Ｏ２等）が発生する。除湿手段（31）で捕捉されて水容器（41）に回収される水は、上記活性種により浄化される。加湿運転では、このように浄化された水容器（41）内の水が加湿手段（43）によって空気中へ付与される。
【００１６】
第４の発明は、第１の発明の調湿装置において、上記水浄化手段は、上記浄化成分としての金属イオンを発生する金属部材（80）で構成されていることを特徴とするものである。
【００１７】
第４の発明の調湿装置には、上記水浄化手段としての金属部材（80）が設けられる。金属部材（80）では、回収される水と反応することで金属イオン（例えば銅イオン）が析出する。この金属イオンにより、水中の細菌の増殖が抑制される。従って、加湿運転では、加湿手段（43）から空気中へ細菌等が放出されてしまうのを回避できる。
【００１８】
第５の発明は、第１乃至第４のいずれか１つの発明の調湿装置において、上記水浄化手段（51,70,80）は、水容器（41）内の水へ浄化成分を付与するように構成されていることを特徴とするものである。
【００１９】
第５の発明では、水浄化手段（51,70,80）から水容器（41）内の水へ浄化成分が付与される。従って、水容器（41）内では、回収された水中の有害物質等の除去や殺菌が直接的に行われるので、水の浄化効率が向上する。
【００２０】
第６の発明は、第１乃至第３のいずれか１つの発明の調湿装置において、内部を空気が流れるように構成されると共に、流出端が上記水容器（41）内に開口する導入流路（60）を更に備え、上記水浄化手段（51,70）は、上記導入流路（60）の内部に浄化成分を付与するように構成されていることを特徴とするものである。
【００２１】
第６の発明の調湿装置には、空気が流れる導入流路（60）が設けられる。水浄化手段（51,70）が導入流路（60）内へ浄化成分（活性種等）を付与すると、この浄化成分が空気と共に導入流路（60）を流出し、水容器（41）内へ供給される。水容器（41）内では、このようにして供給された浄化成分により、水の浄化が行われる。
【００２２】
第７の発明は、第１乃至第５のいずれか１つの発明の調湿装置において、上記水浄化手段（51,70,80）は、上記水容器（41）内に配置されていることを特徴とするものである。
【００２３】
第７の発明では、上記水浄化手段（51,70,80）が水容器（41）内に配置され、上記浄化成分を発生させる。その結果、水容器（41）内の水と浄化成分とが効率良く反応するので、水の浄化効率が向上する。
【００２４】
第８の発明は、第８の発明は、第１乃至第７のいずれか１つの発明において、空気を浄化するための空気浄化手段（21,22,23,24,25）を更に備えていることを特徴とするものである。
【００２５】
第８の発明の調湿装置には、空気を浄化するための空気浄化手段（21,22,23,24,25）が設けられる。つまり、本発明の調湿装置は、除湿機能や加湿機能に加えて、空気浄化機能が付与される。このように、この調湿装置を空気浄化の用途として用いる場合、被処理空気中には、多量の有害物質や臭気物質が含まれることになる。従って、除湿手段（31）から水容器（41）に回収される水中にも、多量の有害物質や細菌が含まれることになる。しかしながら、本発明においても、水容器（41）へ回収される水を浄化成分により浄化しているので、この水を上記加湿手段（43）による空気の加湿に利用しても、この空気の清浄度が保たれる。
【発明の効果】
【００２６】
本発明では、除湿手段（31）で捕捉した水を水容器（41）に回収し、水容器（41）内に回収した水を加湿手段（43）による空気の加湿に利用するようにしている。従って、本発明によれば、除湿手段（31）と加湿手段（43）とで水容器（41）を兼用することができ、装置の小型化を図ることができる。また、除湿手段（31）で捕捉した水を排出するための排水構造も省略可能となり、更に加湿手段（43）で用いる加湿水の補給量も低減できる。その結果、シンプルな構成で加湿運転と除湿運転とを選択的に行うことができる調湿装置を提供できる。
【００２７】
また、本発明では、除湿手段（31）から水容器（41）へ回収される水を水浄化手段（51,70,80）によって浄化するようにしている。従って、加湿手段（43）から空気中へ付与される水の清浄度を保つことができ、加湿水によって室内空間等が汚染されてしまうのを未然に回避できる。
【００２８】
特に第２の発明や第３の発明では、水浄化手段（51,70）で発生させた活性種を利用することで、水容器（41）へ回収される水中の有害物質等の除去や、殺菌を効果的に行うことができる。また、第４の発明では、金属部材（80）から析出させる金属イオンにより、回収される水中の菌の増殖を効果的に防止することができる。また、第５の発明では、水容器（41）内へ浄化成分を付与することで、水容器（41）内で有害物質等を除去でき、且つ水容器（41）内での菌の増殖を効果的に防止することができる。
【００２９】
更に、第６の発明では、水浄化手段（51,70）で発生させた浄化成分を導入流路（60）を介して空気と共に水容器（41）内へ送るようにしている。従って、本発明によれば、水容器（41）内の水中へ多量の浄化成分を供給することができ、水容器（41）内の水を浄化成分により効率良く浄化できる。また、水浄化手段（51,70）を水容器（41）の外部へ配置することができるので、水浄化手段（51,70）の設置スペースを充分確保できる。
【００３０】
また、第７の発明によれば、水浄化手段（51,70,80）を水容器（41）内に配置することで、水浄化手段（51,70,80）から発生した浄化成分を確実に水容器（41）の水中へ送ることができるので、水容器（41）の水を安定且つ確実に浄化することができる。更に、第８の発明によれば、空気の除湿や加湿に加えて、空気を清浄化できる調湿装置を提供することができる。
【発明を実施するための最良の形態】
【００３１】
以下、本発明の実施形態を図面に基づいて詳細に説明する。
【００３２】
本実施形態に係る調湿装置（10）は、空気を加湿する加湿運転と空気を除湿する除湿運転とが可能に構成されている。また、調湿装置（10）は、空気を浄化するための種々の空気浄化手段を有している。
【００３３】
〈調湿装置の全体構成〉
図１及び図２に示すように、調湿装置（10）は、ケーシング（11）を有している。ケーシング（11）は、前後に扁平な矩形状に形成されている。ケーシング（11）には、その前側（図１における左側寄り）に前面パネル（11a）が形成されている。前面パネル（11a）には、空気をケーシング（11）内に導入するための吸込口（12）が形成されている（図２を参照）。吸込口（12）は、例えば前面パネル（11a）の左右側方にそれぞれ形成されている。また、ケーシング（11）には、その上部後方寄りの部位にケーシング（11）内の空気を吹き出すための吹出口（13）が形成されている。そして、ケーシング（11）の内部には、上記吸込口（12）から吹出口（13）に亘って空気が流通する空気通路（14）が形成されている。
【００３４】
図２に示すように、空気通路（14）には、空気の流れの上流側から下流側に向かって順に、プレフィルタ（21）、イオン化部（22）、プリーツフィルタ（23）、脱臭部材（24）、除湿ユニット（30）、及び加湿ユニット（40）、及び遠心ファン（20）が設けられている。
【００３５】
また、遠心ファン（20）の上方で且つ吹出口（13）の下側には、返送通路（15）の流入端が開口している。つまり、返送通路（15）には、空気通路（14）から吹出口（13）へ流出する空気の一部が分流する。返送通路（15）は、上記空気通路（14）と区画されるように前後に延びる空間を構成している。返送通路（15）の流出端は、上記プレフィルタ（21）の上流側と繋がっている。また、返送通路（15）の流出端近傍には、空気浄化用放電部（25）が形成されている。
【００３６】
図３に示すように、プレフィルタ（21）の前側には、上記返送通路（15）と連通する案内通路（16）が形成されている。案内通路（16）は、例えば上記前面パネル（11a）の背面側に形成される仕切部材等によって区画形成されている。案内通路（16）は、返送通路（15）を流出した空気をプレフィルタ（21）の幅方向の中間部まで案内し、この空気を左右側方に流出させてプレフィルタ（21）側へ送るように構成されている（図３の矢印を参照）。以上のように、本実施形態の調湿装置（10）は、空気通路（14）の流出側の空気の一部を上記空気浄化用放電部（25）を通じて空気通路（14）の流入側へ返送するように構成されている。
【００３７】
また、図２に示すように、ケーシング（11）の前面パネル（11a）側には、室内の湿度を検出するための湿度センサ（19）が設けられている。湿度センサ（19）は、室内空気の絶対湿度又は相対湿度を検出する湿度検出手段を構成している。また、ケーシング（11）内には、湿度センサ（19）の検出湿度に基づいて、詳細は後述する除湿運転と加湿運転とを切り換える制御手段（図示省略）が設けられている。
【００３８】
〈空気浄化手段の構成〉
図２に示すように、調湿装置（10）は、空気を浄化するための空気浄化手段として、上述したプレフィルタ（21）、イオン化部（22）、プリーツフィルタ（23）、脱臭部材（24）、及び空気浄化用放電部（25）を有している。
【００３９】
プレフィルタ（21）は、空気中に含まれる比較的大きな塵埃を物理的に捕捉する集塵用のフィルタを構成している。
【００４０】
イオン化部（22）は、空気中の塵埃を帯電させる塵埃荷電手段を構成している。イオン化部（22）には、例えば線状の電極と、この線状の電極に対向する板状の電極とが設けられている。イオン化部（22）では、両者の電極に電源（18）から電圧が印加されることで、両電極の間でコロナ放電が行われる。このコロナ放電により、空気中の塵埃が所定の電荷（正又は負の電荷）に帯電される。
【００４１】
プリーツフィルタ（23）は、波板状の静電フィルタを構成している。つまり、プリーツフィルタ（23）では、上記イオン化部（22）で帯電された塵埃が電気的に誘引されて捕捉される。なお、プリーツフィルタ（23）に光触媒等の脱臭用の材料を担持させても良い。
【００４２】
脱臭部材（24）は、ハニカム構造の基材の表面に空気を脱臭するための脱臭剤が担持されて構成されている。脱臭剤は、空気中の被処理成分（臭気物質や有害物質）を吸着する吸着剤や、該被処理成分を酸化分解するための触媒等が用いられる。
【００４３】
空気浄化用放電部（25）では、空気を浄化するためにストリーマ放電が行われる。空気浄化用放電部（25）には、棒状あるいは線状の電極（26）と、平板状の電極（27）とが設けられている。両者の電極（26,27）は、互いに平行に配置されている。電源（18）から両電極（26,27）に電圧が印加されると、棒状の電極（26）の先端から平板状の電極（27）に向かってストリーマ放電が生起される。このストリーマ放電により、空気中には活性種（ラジカル、オゾン、高速電子、励起分子等）が発生する。この活性種が空気中の被処理成分と反応することで、この被処理成分が酸化分解されて除去される。
【００４４】
〈除湿ユニットの構成〉
図４に示すように、除湿ユニット（30）は、除湿ロータ（31）とカバー部材（32）と循環ファン（33）とヒータ（34）とを備えている。
【００４５】
除湿ロータ（31）は、空気中の水分を捕捉して空気を除湿するための除湿手段であり、いわゆる回転式の吸着ロータを構成している。つまり、除湿ロータ（31）は、前後に空気が流通可能な円板状に形成され、その軸心の回転軸（31a）が所定の駆動源（図示省略）によって回転駆動されることで、回転軸（31a）と共に回転可能に構成されている。また、除湿ロータ（31）は、ハニカム構造の基材の表面に吸着剤が担持されて構成されている。上記吸着剤としては、粒状のゼオライト等、水分に対する吸着性能に優れた材料が用いられる。また、吸着剤を基材に担持させるためのバインダーとしては、変性ポリフェニレンエーテル、ポリスチレン、ＡＢＳ樹脂（アクリルニトリル−ブタジエン−スチレン共重合合成樹脂）等の熱可塑性樹脂が用いられる。
【００４６】
カバー部材（32）は、その内部に上記除湿ロータ（31）を保持している。具体的に、カバー部材（32）は、前後に扁平な略矩形状に形成され、その上部寄りに円形開口（32a）が形成されている。円形開口（32a）は、カバー部材（32）を前後に貫通しており、その内部に上記除湿ロータ（31）が回転自在に保持されている。これにより、空気通路（14）を流れる空気は、円形開口（32a）を介して除湿ロータ（31）を通過する。
【００４７】
また、カバー部材（32）には、除湿ロータ（31）の吸着剤を再生するための空気（再生用空気）が流れる循環通路（35）が形成されている。具体的に、カバー部材（32）には、除湿ロータ（31）の外回りに上記循環通路（35）が形成されており、この循環通路（35）に跨るように上記循環ファン（33）及びヒータ（34）が設けられている。更に詳細には、カバー部材（32）では、第１から第４までのカバー通路部（35a,35b,35c,35d）及び循環ファン（33）が閉ループ状に接続されることで、上記循環通路（35）が構成されている。
【００４８】
循環ファン（33）と第１カバー通路部（35a）とは、カバー部材（32）の上端部後側に形成されている。第１カバー通路部（35a）は、その流入端が循環ファン（33）の吹出側と連通している。また、第１カバー通路部（35a）の流出端部には、上記ヒータ（34）が収納されている。つまり、ヒータ（34）は、除湿ロータ（31）の後側に設けられている（図２を参照）。ヒータ（34）は、循環通路（35）における除湿ロータ（31）の上流側の空気を加熱する加熱手段を構成している。
【００４９】
第２カバー通路部（35b）は、除湿ロータ（31）を挟んで上記第１カバー通路部（35a）と概ね反対側の部位に設けられている。第１カバー通路部（35a）と第２カバー通路部（35b）とは、除湿ロータ（31）を介して互いに連通している。また、第２カバー通路部（35b）は、その外形が扇状に形成され、除湿ロータ（31）の側面の約６分の１程度の部位を覆っている。
【００５０】
第３カバー通路部（35c）は、カバー部材（32）において、除湿ロータ（31）の下側略半分を囲むように形成されている。第３カバー通路部（35c）の流入端は、第２カバー通路部（35b）の下端部と接続している。また、第３カバー通路部（35c）の流出端は、第４カバー通路部（35d）を介して循環ファン（33）の吸込側と繋がっている。
【００５１】
第３カバー通路部（35c）には、前後に貫通する複数の連通穴部（37）が形成されている。各連通穴部（37）は、その通路断面が上下に縦長の略楕円状に形成され、空気通路（14）を流れる空気（被処理空気）が内部を流通可能に構成されている。また、複数の連通穴部（37）は、除湿ロータ（31）の径方向外側を囲むように配列されている。
【００５２】
第３カバー通路部（35c）では、上記の再生用空気と被処理空気とが熱交換することで、再生用空気中の水分が凝縮される（詳細は後述する）。なお、第３カバー通路部（35c）で凝縮した水は、図示しない流路を通じて後述する水タンク（41）へ回収される。
【００５３】
〈加湿ユニットの構成〉
図５に示すように、加湿ユニット（40）は、水を貯留するための水タンク（41）と、水タンク（41）の水を汲み上げる水車（42）と、水車（42）によって汲み上げられた水を空気中へ付与する加湿手段を構成する加湿ロータ（43）と、加湿ロータ（43）を回転駆動するための駆動モータ（44）とを備えている。
【００５４】
水タンク（41）は、上側が開口する横長の水容器を構成している。水タンク（41）は、ケーシング（11）内の下部の空間に設置され、ケーシング（11）の引出口（11b）を通じて出し入れ自在に構成されている（図１を参照）。これにより、ユーザー等は水タンク（41）内に加湿用の水を適宜補充することができる。また、上述のように水タンク（41）には、除湿ロータ（31）に捕捉された水が回収される。従って、水タンク（41）への加湿水の補充の頻度を低減できる。また、水タンク（41）の底面には、水車（42）を回転自在に保持するための軸受部材（41a）が立設している。
【００５５】
水車（42）は、前後に扁平な略円板状に形成され、その軸心部に回転軸（42a）が突設されている。回転軸（42a）は、上記軸受部材（41a）の上端に枢支されている。水車（42）は、水タンク（41）の加湿水中に一部（下端部を含む所定部位）が浸漬するように回転自在に設けられており、回転部材を構成している。
【００５６】
水車（42）には、その後側の側面（上記加湿ロータ（43）に面する側面）の軸周りに複数の凹部（42b）が形成されている。複数の凹部（42b）は、径方向外側に向かうに連れて幅が拡大されるような略台形形状の開口を有している。また、凹部（42b）の開口の周方向の幅は、該凹部（42b）の内部空間の周方向の幅よりも狭くなっている。更に、凹部（42b）の径方向内側の内壁は、開口端に向かうに連れて徐々に軸心側に近づくように傾斜している。各凹部（42b）は、水車（42）の径方向外側端部において周方向に等間隔で配列されている。回転動作中の水車（42）では、凹部（42b）が水タンク（41）の水中に浸漬する位置と、水中から引き出される位置とを交互に変位する。
【００５７】
また、水車（42）の後側の側面には、その軸心寄りの部位に歯車（42c）が一体的に形成されている。歯車（42c）は、後述する加湿ロータ（43）の従動歯車（43a）と噛み合うように構成されている。
【００５８】
加湿ロータ（43）は、環状の従動歯車（43a）と、この従動歯車（43a）に内嵌して保持される円板状の吸湿部材（43b）とを有している。吸湿部材（43b）は、吸水性を有する不織布によって構成されている。加湿ロータ（43）は、上記水タンク（41）の満水時の水位よりも高い位置において、回転軸を介して回転自在に保持されている。また、加湿ロータ（43）は、その下端を含む所定部位が上記水車（42）と実質的に接触するように配置されている。つまり、加湿ロータ（43）は、水車（42）の凹部（42b）と軸方向に一致する部位を有している。これにより、加湿ロータ（43）には、水車（42）の凹部（42b）によって汲み上げられた加湿水が吸湿部材（43b）に吸収される。
【００５９】
駆動モータ（44）は、駆動歯車（44a）を有している。駆動歯車（44a）は、ピニオン（45）を介して加湿ロータ（43）の従動歯車（43a）と歯合している。即ち、駆動モータ（44）が駆動歯車（44a）を回転駆動させると、ピニオン（45）及び従動歯車（43a）が回転し、更に従動歯車（43a）と歯合する水車（42）が回転する。
【００６０】
〈水浄化ユニットの構成〉
調湿装置（10）は、上述した除湿ロータ（31）で捕捉されて水タンク（41）へ回収される水を浄化するための水浄化ユニット（50）を更に備えている。図６に示すように、水浄化ユニット（50）は、水浄化手段としての水浄化用放電部（51）と、導入流路を構成する配管ユニット（60）とを備えている。
【００６１】
配管ユニット（60）は、流入側配管（61）と放電ユニット収容部（62）と流出側配管（63）とが順に接続されて構成されている。流入側配管（61）は、その流入端が上記空気通路（14）に開口しており、その流出端が放電ユニット収容部（62）内に連通している。流入側配管（61）は、水平な姿勢で保持されている。流出側配管（63）は、その流入端が上記放電ユニット収容部（62）に連通し、その流出端が水タンク（41）内に開口している。流出側配管（63）は、鉛直な姿勢となりながら、その流出端が水タンク（41）内の水位よりも低くなるように保持されている。そして、配管ユニット（60）では、流入側配管（61）、放電ユニット収容部（62）、及び流出側配管（63）の各内部空間が順に繋がることで、上記導入流路が形成されている。なお、配管ユニット（60）は、空気通路（14）を流れる空気の一部が分岐して導入されるように構成されている。
【００６２】
上記水浄化用放電部（51）は、放電ユニット収容部（62）内に配置されている。水浄化用放電部（51）は、放電に伴い配管ユニット（60）内で浄化成分としての活性種を発生させる放電部を構成している。水浄化用放電部（51）は、棒状電極（52）と平板電極（53）とを有している。棒状電極（52）は、基板（52a）に支持板（52b）を介して支持されている。棒状電極（52）は、細長い線状に形成され、略円形状の縦断面を有している。平板電極（53）は、棒状電極（52）と同一方向に延びる平板状に形成されている。棒状電極（52）と平板電極（53）とは、互いに平行な姿勢となっており、棒状電極（52）の先端が平板電極（53）と対向している。
【００６３】
棒状電極（52）は上記電源（18）の正極側に接続され、平板電極（53）は上記電源（18）の負極側（又はアース側）に接続されている。電源（18）から両者の電極（52,53）に電位差が付与されると、棒状電極（52）の先端から平板電極（53）に向かってストリーマ放電が生起する。その結果、水浄化用放電部（51）では、ストリーマ放電に伴う活性種（ラジカル、オゾン、高速電子、励起分子等）が発生し、この活性種が空気中へ付与される。なお、電源（18）から水浄化用放電部（51）へは、直流の高圧電圧が供給されることが好ましく、更には水浄化用放電部（51）の放電電流が一定となるような、いわゆる定電流制御を行うことが好ましい。
【００６４】
−運転動作−
本実施形態に係る調湿装置（10）は、室内を除湿する除湿運転と、室内を加湿する加湿運転とを切り換えて行う。また、除湿運転や加湿運転では、上述した各種の空気浄化手段によって空気の浄化が同時に行われる。
【００６５】
〈除湿運転〉
除湿運転では、除湿ロータ（31）が回転すると共に、ヒータ（34）が通電状態となる。一方、加湿ロータ（43）は回転駆動されず、よって加湿ロータ（43）に連動して回転する水車（42）も停止状態となる。また、遠心ファン（20）が運転されることで、室内の空気が吸込口（12）を通じて空気通路（14）内に導入され、循環ファン（33）が運転されることで循環通路（35）内を再生用空気が循環する。更に、電源（18）からは、空気浄化用放電部（25）の電極（26,27）に高圧の電圧が印加される。更に、電源（18）からは、イオン化部（22）の電極に電圧が印加される。
【００６６】
図２に示すように、空気通路（14）に流入した空気は、プレフィルタ（21）を通過して塵埃が捕捉された後、イオン化部（22）を通過する。イオン化部（22）では、電極間でコロナ放電が行われており、空気中の塵埃が帯電される。イオン化部（22）を流出した空気は、プリーツフィルタ（23）を通過する。プリーツフィルタ（23）では、帯電した塵埃が電気的に誘引されて捕捉される。プリーツフィルタ（23）を流出した空気は、脱臭部材（24）を通過する。脱臭部材（24）では、空気中に含まれる被処理成分が吸着剤に吸着され、あるいは触媒によって酸化分解される。
【００６７】
ところで、空気通路（14）の流出端部では、遠心ファン（20）の吹出側（陽圧側）の空気の一部が返送通路（15）に流入している。返送通路（15）を流れる空気は、前方に送られて空気浄化用放電部（25）を流れる。空気浄化用放電部（25）では、互いに対向する電極（26,27）の間でストリーマ放電が行われている。その結果、空気浄化用放電部（25）では、ストリーマ放電に伴い上述の活性種が発生する。この活性種を含んだ空気は、返送通路（15）及び案内通路（16）を通じて、プレフィルタ（21）の上流側を流れる空気と合流する。従って、空気通路（14）では、その流入端から流出端に亘って上記活性種が流れることになり、空気中の被処理成分と活性種との反応時間が確保されて脱臭性能が向上する。
【００６８】
除湿運転時には、脱臭部材（24）を通過した空気が、除湿ロータ（31）を通過する。除湿ロータ（31）では、空気中に含まれる水分が吸着剤に吸着され、この空気が除湿される。以上のようにして清浄化及び除湿された空気は、吹出口（13）を通じて室内へ供給される。
【００６９】
一方、順次回転する除湿ロータ（31）では、空気の水分が吸着された部位（吸湿部位）が循環通路（35）内に臨む位置まで変位する。ここで、循環通路（35）では、循環ファン（33）から吹き出された空気が、第１カバー通路部（35a）を流出してヒータ（34）に加熱される。そして、加熱後の空気が除湿ロータ（31）の上記吸湿部位を通過する。その結果、吸湿部位の吸着剤が加熱され、吸着剤から水分が脱離（脱着）する。除湿ロータ（31）の吸着剤の再生に利用され、高湿となった空気は、第２カバー通路部（35b）を介して第３カバー通路部（35c）に流入する。
【００７０】
第３カバー通路部（35c）では、空気通路（14）側の空気が各連通穴部（37）を流通している。従って、循環通路（35）側の再生用空気は、連通穴部（37）の側壁を介して空気通路（14）側の被処理空気と熱交換する。ここで、再生用空気は被処理空気と比較して高温であり、且つ飽和状態に近い水分を含んでいる。その結果、第３カバー通路部（35c）では、再生用空気が冷却されると共に、この空気中に含まれる水蒸気が凝縮する。第３カバー通路部（35c）で凝縮した水は、自重により所定の流路を流下して水タンク（41）に回収される。
【００７１】
第３カバー通路部（35c）で低湿となった空気は、第４カバー通路部（35d）を介して循環ファン（33）に吸い込まれ、再び第１カバー通路部（35a）に送られて除湿ロータ（31）の吸着剤の再生に利用される。
【００７２】
〈加湿運転〉
加湿運転では、駆動モータ（44）によって加湿ロータ（43）及び水車（42）が回転駆動される。一方、除湿ロータ（31）は回転駆動されず、ヒータ（34）及び循環ファン（33）は停止状態となる。また、遠心ファン（20）が運転されることで、室内の空気が吸込口（12）を通じて空気通路（14）内に導入されると共に、電源（18）からは空気浄化用放電部（25）及びイオン化部（22）の各電極へ電圧が印加される。
【００７３】
図２に示すように、空気通路（14）に流入した空気は、上記除湿運転と同様に、各種の空気浄化手段によって清浄化される。清浄化された空気は、実質的に除湿動作を行わない除湿ロータ（31）を通過した後、加湿ロータ（43）へ流入する。
【００７４】
ここで、加湿ユニット（40）では、水車（42）が回転することで、水タンク（41）内の加湿水が加湿ロータ（43）の吸湿部材（43b）に適宜供給される。具体的に、水車（42）では、水タンク（41）に貯留された加湿水中に凹部（42b）が浸漬する。これにより、加湿水中では、凹部（42b）内に加湿水が侵入して保持される。加湿水を保持した状態の凹部（42b）は、加湿水中から引き上げられて更に上方へ変位する。この凹部（42b）が加湿ロータ（43）に徐々に近接していくと、凹部（42b）内に保持された加湿水も自重により徐々に凹部（42b）内から流出する。そして、凹部（42b）が最上端位置に変位する際には、凹部（42b）内の加湿水が概ね全量流出することになる。
【００７５】
凹部（42b）から流出した加湿水は、該凹部（42b）と近接する加湿ロータ（43）と接触し、吸湿部材（43b）に吸収される。このような動作により、加湿ユニット（40）では、加湿ロータ（43）に連続的に加湿水が供給される。
【００７６】
加湿ロータ（43）では、水分が補給された部位を空気が流通する。その結果、吸湿部材（43b）に含まれた加湿水が空気中へ放出され、これにより空気の加湿が行われる。以上のようにして清浄化及び加湿された空気は、吹出口（13）を通じて室内へ供給される。
【００７７】
〈その他の運転動作〉
上記加湿運転や除湿運転では、電源（18）からイオン化部（22）や空気浄化用放電部（25）への電圧の供給を停止させることで、空気の浄化を積極的に行わない運転を行うことも可能である。また、除湿ユニット（30）の除湿動作や加湿ユニット（40）の加湿動作を実質的に停止させる一方、イオン化部（22）や空気浄化用放電部（25）で上記の放電を行うことで、空気の調湿を行わずに空気の浄化を行う空気清浄運転を行うことも可能である。
【００７８】
〈自動運転モード〉
調湿装置（10）では、上述した除湿運転と加湿運転とを自動的に変更する自動運転モードも可能となっている。この自動運転モードでは、湿度センサ（19）で検出した室内空気の湿度に基づいて除湿運転と加湿運転とが自動的に切り換えられる。
【００７９】
具体的に、自動運転モード時において、湿度センサ（19）で検出した湿度が目標湿度（例えばユーザーが設定する設定湿度）よりも高い場合、上記除湿運転が行われる。その結果、上述の如く除湿ユニット（30）で空気が除湿され、室内の湿度が目標湿度へと収束していく。また、この際、除湿ロータ（31）で捕捉された水は、水タンク（41）へ回収される。
【００８０】
一方、自動運転モード時において、湿度センサ（19）で検出した湿度が目標湿度以下である場合、上記加湿運転が行われる。その結果、上述の如く加湿ユニット（40）で空気が加湿され、室内の湿度が目標湿度へと収束していく。
【００８１】
ここで、この加湿運転時には、上記除湿ロータ（31）で捕捉されて水タンク（41）へ回収された水が水車（42）を介して加湿ロータ（43）へ供給される。つまり、この調湿装置（10）では、除湿運転時に水タンク（41）へ回収された水が、加湿運転時の加湿水として利用される。換言すると、水タンク（41）は、除湿運転時に除湿ロータ（31）で捕捉した水を回収するための水容器と、加湿運転時に加湿水として利用される水を回収するための水容器との双方に兼用される。
【００８２】
〈水浄化動作〉
ところで、上記のように除湿ロータ（31）で捕捉した水を加湿ロータ（43）による空気の加湿に利用する場合、加湿ロータ（43）から空気へ付与する水の水質を改善する必要がある。具体的には、除湿運転時には、除湿ロータ（31）の吸着剤に空気中の有害物質や臭気物質（例えばアンモニア、ホルムアルデヒド、たばこ臭等）が吸着することがある。従って、吸着剤から脱離した水分と共にこれらの有害物質等が水タンク（41）に回収される虞がある。また、除湿ロータ（31）に捕捉された空気中の菌類が水タンク（41）に回収される虞もある。このように、除湿ロータ（31）で捕捉した水の水質は必ずしも清浄でないにも拘わらず、この水を加湿運転時の空気の加湿水として利用すると、室内の清浄度が損なわれてしまうという問題が生じる。そこで、本実施形態の調湿装置（10）では、除湿ロータ（31）で捕捉して水タンク（41）へ回収される水を上記水浄化ユニット（50）により浄化する水浄化動作が可能となっている。
【００８３】
具体的には、例えば除湿運転から加湿運転へと運転が切り換えられる際には、配管ユニット（60）内へ空気が導入される（図６を参照）。また、電源（18）から水浄化用放電部（51）へ電圧が印加される。その結果、水浄化用放電部（51）では、上記ストリーマ放電が行われ、放電ユニット収容部（62）内で活性種が発生する。この活性種は、放電ユニット収容部（62）を流れる空気と共に流出側配管（63）へ流出する。その結果、水タンク（41）内には、活性種を含む空気が気泡となって水中へ供給される。これにより、空気中の活性種が水と接触し、水中の有害物質等が除去されると共に、水中の殺菌が行われる。以上のように、水浄化動作では、水浄化用放電部（51）で発生した活性種が水タンク（41）内へ付与されるので、水タンク（41）内の水の清浄度が向上する。従って、その後に上記加湿運転が行われても、加湿ロータ（43）からは清浄な水が空気へ付与される。よって、加湿運転時には、加湿水によって室内の清浄度が損なわれてしまうことがない。
【００８４】
−実施形態の効果−
上記実施形態では、除湿ロータ（31）で捕捉した水を水タンク（41）に回収し、この水タンク（41）内に回収した水を加湿ロータ（43）による空気の加湿に利用するようにしている。従って、上記実施形態によれば、除湿ロータ（31）で捕捉した水を回収するための水容器と、加湿ロータ（43）へ供給する加湿水を貯留するための水容器とを兼用することができる。その結果、両ロータ（31,43）に対応する水容器を別々に設ける場合と比較し、部品点数の削減、装置の小型化を図ることができる。また、上記実施形態では、除湿ロータ（31）で回収した水を加湿に利用することで、除湿ロータ（31）で回収した水を排出するための排出構造も省略できる。また、加湿ロータ（43）の加湿水の補給量も低減できる。その結果、比較的シンプルな装置構造としながら、除湿運転と加湿運転とを選択的に行える調湿装置（10）を提供できる。
【００８５】
更に、上記実施形態では、除湿運転時に水タンク（41）に回収した水を水浄化用放電部（51）によって浄化するようにしている。従って、加湿運転時において、汚染された水が空気中へ付与されて室内の清浄度が損なわれてしまうことを確実に回避できる。また、この水浄化用放電部（51）では、電力消費が比較的小さく活性種を高密度に発生できるストリーマ放電を行うようにしている。従って、調湿装置（10）の省エネ性を確保しながら、水タンク（41）に回収される水を高効率に浄化することができる。
【００８６】
−実施形態の変形例−
上記実施形態において、水タンク（41）へ回収される水を浄化する水浄化手段として、以下のような各変形例の構成を採用することもできる。
【００８７】
〈変形例１〉
図６に示す水浄化用放電部（51）では、ストリーマ放電を行うことで、空気中へ活性種を付与するようにしている。しかしながら、水浄化用放電部（51）においては、例えば沿面放電やコロナ放電等の他の放電により浄化成分としての活性種を発生するようにしても良い。また、水浄化用放電部（51）を水タンク（41）内に設け、放電に伴う活性種を水タンク（41）内で発生させるようにしても良い。
【００８８】
〈変形例２〉
図７に示すように、水浄化手段として光触媒部材（70）を用いるようにしても良い。光触媒部材（70）は、基材の表面に例えば二酸化チタン等の光触媒が担持されて構成されている。光触媒部材（70）は、水タンク（41）内に配置されて水中に浸漬している。また、変形例２では、光触媒部材（70）と対向するように紫外線ランプ（71）が設けられている。紫外線ランプ（71）は、光触媒部材（70）に向かって紫外線を照射するように構成され、例えば水タンク（41）のカバー（72）の下面に保持されている。
【００８９】
変形例２では、紫外線ランプ（71）による紫外線の照射環境下において、光触媒部材（70）からＯＨラジカルやＨ２Ｏ２等の活性種（浄化成分）が発生する。この活性種により、水タンク（41）の水中の有害物質等が分解除去され、更に水中の殺菌が行われる。従って、この変形例２においても、除湿ロータ（31）から捕捉されて水タンク（41）に回収された水を確実に浄化できるので、この水を加湿ロータ（43）の加湿水として積極的に利用できる。
【００９０】
また、このような光触媒部材（70）を上記実施形態の配管ユニット（60）内に配置するようにしても良い。この場合には、光触媒部材（70）から発生した活性種を空気と共に水タンク（41）内に送ることで、水タンク（41）内の水を浄化することができる。
【００９１】
〈変形例３〉
図８に示すように、水浄化手段として所定の金属イオン（浄化成分）を発生する金属部材（80）を用いるようにしても良い。この例では、金属部材（80）が銅イオン化合物で構成されている。そして、金属部材（80）は、水タンク（41）内に配置されて水中に浸漬している。
【００９２】
変形例３では、金属部材（80）から水タンク（41）内の水中へ銅イオンが析出する。この銅イオンにより、水中での細菌の繁殖が抑制／阻害され、水の浄化が行われる。なお、金属部材（80）として、他のイオン（例えば銀イオン）を発生する金属化合物等を用いるようにしても良い。更に、金属部材（80）に代えて、細菌の繁殖を防止する他の機能材料を用いても良い。この機能材料としては、例えばカテキン等の植物由来精油（浄化成分）を発生する材料が挙げられ、より詳細には、このような植物由来精油を溶解性のマイクロカプセル内に注入したものが挙げられる。
【００９３】
以上の実施形態や各変形例に係る発明を適宜組み合わせても良い。また、以上の実施形態は、本質的に好ましい例示であって、本発明、その適用物、あるいはその用途の範囲を制限することを意図するものではない。
【産業上の利用可能性】
【００９４】
以上説明したように、本発明は、空気を除湿する除湿手段と空気を加湿する加湿手段とを備え、上記除湿手段で捕捉した水を水容器内に回収し、この水を加湿手段による空気の加湿に利用する調湿装置について有用である。
【図面の簡単な説明】
【００９５】
【図１】図１は、実施形態に係る調湿装置の全体構成を示す斜視図であり、水タンクをケーシングから引き出した状態を示すものである。
【図２】図２は、調湿装置の内部を表した概略の縦断面図である。
【図３】図３は、調湿装置の前側寄りの内部を表した概略の縦断面図である。
【図４】図４は、除湿ユニットの斜視図である。
【図５】図５は、加湿ユニットの斜視図である。
【図６】図６は、水浄化ユニットの概略の構成を模式的に表した図である。
【図７】図７は、変形例２の水浄化ユニットの概略の構成を模式的に表した図である。
【図８】図８は、変形例３の水浄化ユニットの概略の構成を模式的に表した図である。
【符号の説明】
【００９６】
31    除湿ロータ（除湿手段）
41    水タンク（水容器）
43    加湿ロータ（加湿手段）
51    水浄化用放電部（放電部、水浄化手段）
60    配管ユニット（導入流路）
70    光触媒部材（水浄化手段）
80    金属部材（水浄化手段）
【図１】
2009145022.tif 000003
【図２】
2009145022.tif 000004
【図３】
2009145022.tif 000005
【図４】
2009145022.tif 000006
【図５】
2009145022.tif 000007
【図６】
2009145022.tif 000008
【図７】
2009145022.tif 000009
【図８】
2009145022.tif 000010